(57)【要約】【課題】  本願は、太陽光発電パネルや太陽電池を有する取付ユニットといったパネル体を、壁面に取り付ける構造を提供することを目的とする。【解決手段】  本願は、パネル体の壁面取付構造である。パネル体は、一端に上係止部と、対向する他端に下係止部が互いに内向きに形成されている。横桟は、上係止部受部、又は、下係止部受部が表面側に形成されている。横桟は、略水平な向きで上段及び下段に並べて壁面に配置され、横桟の裏面側と壁面とが固定されている。パネル体は、上係止部が上段の上係止部受部に引っ掛けられ、下係止部が下段の下係止部受部に止着具で係止されている。【選択図】  図５
2019183458.tif 000002
【特許請求の範囲】
【請求項１】
パネル体は、
一端に上係止部と、
対向する他端に下係止部が互いに内向きに形成されており、
横桟は、
上係止部受部、
又は、
下係止部受部が表面側に形成されており、
横桟は、
略水平な向きで上段及び下段に並べて壁面に配置され、
横桟の裏面側と壁面とが固定され、
パネル体は、
上係止部が上段の上係止部受部に引っ掛けられ、
下係止部が下段の下係止部受部に止着具で係止されている
パネル体の壁面取付構造。
【請求項２】
パネル体は、
太陽光発電パネル、
又は、
太陽電池を有する取付ユニットであって、
横桟は、
上係止部受部と、
該上係止部受部の上側に下係止部受部が形成されており、
横桟の表面側において、
前記横桟に取り付けられた上下隣接するパネル体の電線同士が接続されている
請求項１のパネル体の壁面取付構造。
【発明の詳細な説明】
【技術分野】
【０００１】
本願は、太陽光発電パネルや太陽電池を有する取付ユニットといったパネル体を、壁面に取り付ける構造を提供することを目的とする。
【背景技術】
【０００２】
図９は、特開２０１４−１５７５１号公報の図１である。ソーラーパネルは上フレームと下フレームを左右の側フレームで連結した枠部材を有し、ソーラーパネルを取り付ける躯体側に、上下方向に所定の間隔を隔てて水平方向のハンガーフレームを固定してあり、ハンガーフレームは躯体への固定部から断面Ｌ字形状の上フレーム引掛部と、その上方に断面Ｌ字形状の下フレーム引掛部とを平行に突設してあり、ソーラーパネルの上フレームに固定連結した上部引掛部材をハンガーフレームの上フレーム引掛部に引っ掛け、ソーラーパネルの下フレームに固定連結した下部引掛部材をハンガーフレームの下フレーム引掛部に引っ掛けたことを特徴とする。
【先行技術文献】
【特許文献】
【０００３】
【特許文献１】特開２０１４−１５７５１号公報
【発明の概要】
【発明が解決しようとする課題】
【０００４】
しかし、図９に示した先行技術は、上部引掛部材と下部引掛部材の向きが決まっており、ソーラーパネルを上下逆向きに取り付けることができない。そのため、ソーラーパネルを取り付ける向きを考慮しながら、ソーラーパネルに、上部引掛部材と下部引掛部材を固定連結する必要があった。また、上部引掛部材と下部引掛部材の向きに考慮しながら、ソーラーパネルを壁面に取り付ける必要があった。
【０００５】
また、図９に示した先行技術は、上部引掛部材がハンガーフレームの上フレーム引掛部に引っ掛けられ、下部引掛部材がハンガーフレームの下フレーム引掛部に引っ掛けられている。そのため、ソーラーパネルの上下がふさがれた状態なので、ソーラーパネルの裏面側にある電線同士が接続しにくい。
【課題を解決するための手段】
【０００６】
本願は、パネル体の壁面取付構造である。パネル体は、一端に上係止部と、対向する他端に下係止部が互いに内向きに形成されている。横桟は、上係止部受部、又は、下係止部受部が表面側に形成されている。横桟は、略水平な向きで上段及び下段に並べて壁面に配置され、横桟の裏面側と壁面とが固定されている。パネル体は、上係止部が上段の上係止部受部に引っ掛けられ、下係止部が下段の下係止部受部に止着具で係止されている。
【０００７】
また、上記に加え、パネル体は、太陽光発電パネル、又は、太陽電池を有する取付ユニットである。横桟は、上係止部受部と、上係止部受部の上側に下係止部受部が形成されている。そして、横桟の表面側において、横桟に取り付けられた上下隣接するパネル体の電線同士が接続されている。
【発明の効果】
【０００８】
本願のパネル体の壁面取付構造は、パネル体の上係止部及び下係止部が両方とも、内向きに形成されている。そのため、パネル体を上下の向きを問わず、取り付けることができる。その結果、パネル体の上下の向きを問わず、壁面に取り付けることができる。
【０００９】
また、本願のパネル体の壁面取付構造は、太陽光発電パネルや太陽電池の電線が横桟の表面側にある。そのため、上下隣接するパネル体の電線同士が接続しやすい。
【図面の簡単な説明】
【００１０】
【図１】本願のパネル体の壁面取付構造におけるパネル体の実施例を示す説明図である。
【図２】本願のパネル体の壁面取付構造における横桟（上段）の実施例を示す説明図である。
【図３】本願のパネル体の壁面取付構造における横桟（下段）の実施例を示す説明図である。
【図４】本願のパネル体の壁面取付構造における横桟の実施例を示す説明図である。
【図５】本願のパネル体の壁面取付構造の実施例を示す説明図である。
【図６】本願のパネル体の壁面取付構造（上段）の実施例を示す説明図である。
【図７】本願のパネル体の壁面取付構造（下段）の実施例を示す説明図である。
【図８】本願のパネル体の壁面取付構造の実施例を示す説明図である。
【図９】従来技術の説明図である。
【実施例】
【００１１】
本願のパネル体の壁面取付構造の実施例について、図１から図８までにより説明する。図１は、本願のパネル体の壁面取付構造で用いられるパネル体の実施例を示す斜視図である。図２から図４までは、本願のパネル体の壁面取付構造で用いられる横桟の実施例を示す説明図である。図５は、本願のパネル体の壁面取付構造の実施例を示す斜視図である。図６から図８までは、本願のパネル体の壁面取付構造の実施例を示す側面図である。
【００１２】
本願において、パネル体Ｐは、略長方形の平面及び所定の厚さを有する、いわゆる板（ボード）型の設置物である。たとえば、太陽光発電パネルや太陽電池を有する取付ユニット等があげられ、看板等でもよい。
【００１３】
本願において、パネル体Ｐは、図１のように、一端に上係止部Ｐ１と、対向する他端に下係止部Ｐ２が互いに内向きに形成されている。本実施例においては、断面略Ｌ字状である上係止部Ｐ１及び下係止部Ｐ２が形成されている。このような構造にすることによって、パネル体Ｐは、上下どちら向きであっても用いることができる。いいかえれば、上係止部Ｐ１を下係止部Ｐ２として用いることもできるし、下係止部Ｐ２を上係止部Ｐ１として用いることもできる。なお、上係止部Ｐ１及び下係止部Ｐ２が断面略Ｌ字状なのは一例であって、上係止部受部Ｒ１に引っ掛けることができれば、形状は問わない。また、下係止部Ｐ２には、止着具Ｆ用の孔Ｐ４を形成させてもよい。そうすることで、下係止部受部Ｒ２に止着しやすくなる。なお、パネル体Ｐ表面に太陽電池等を固定したり、壁面Ｗにパネル体Ｐを固定したりするために用いる止着具Ｆを挿通する孔Ｐ４を形成させてもよい。
【００１４】
さらに、上係止部Ｐ１及び下係止部Ｐ２は、図１のように、パネル体Ｐ自体の一部として形成してもよい。たとえば、フレームをこのような形状に形成させた太陽光発電パネルが挙げられる。また、パネル体Ｐは、上係止部Ｐ１を有する上係止部材、及び下係止部Ｐ２を有する下係止部材というような別部材とし、パネル本体に固着させた構造であってもよい。
【００１５】
図１に示す実施例においては、略長方形である平面を有するパネル体Ｐは、対向する短辺同士に形成されている。そのほか、上係止部Ｐ１及び下係止部Ｐ２が、対向する長辺同士に形成されていてもよい。
【００１６】
本願において、横桟Ｒは、壁面Ｗにパネル体Ｐを取り付けるための長尺の部材である。本願の横桟Ｒは、上係止部受部Ｒ１、又は、下係止部受部Ｒ２が形成されている。たとえば、上係止部受部Ｒ１だけ（図２）、下係止部受部Ｒ２だけ（図３）が形成されていてもよい。また、上係止部受部Ｒ１及び下係止部受部Ｒ２の両方が形成（図４）されていてもよい。
【００１７】
図２に示す実施例は、上係止部受部Ｒ１のみを有する横桟Ｒである。上係止部受部Ｒ１は、上方が開口する凹部が形成され、パネル体Ｐの上係止部Ｐ１が引っ掛けられる構造になっている。なお、パネル体Ｐの上係止部Ｐ１が、上係止部受部Ｒ１に引っ掛けられ、横桟Ｒにパネル体Ｐがつるされた状態にできれば、上係止部受部Ｒ１の形状・大きさ等は問わない。また、壁面Ｗに横桟Ｒを固定したり、横桟Ｒにパネル体Ｐを固定するために用いる止着具Ｆを挿通する孔Ｒ３を形成させてもよい。
【００１８】
図３に示す実施例は、下係止部受部Ｒ２のみを有する横桟Ｒである。下係止部受部Ｒ２は、パネル体Ｐの下係止部Ｐ２が止着具Ｆで係止される構造になっている。本実施例では、止着具Ｆとして、ボルト・ナットを用いている。パネル体Ｐが、横桟Ｒから外れたり、横桟Ｒに長尺方向に移動したりしない状態にできれば、止着具Ｆの種類は問わない。また、壁面Ｗに横桟Ｒを固定したり、横桟Ｒにパネル体Ｐを固定したりするために用いる止着具Ｆを挿通する孔Ｒ３を形成させてもよい。
【００１９】
図４に示す実施例は、上係止部受部Ｒ１と、上係止部受部Ｒ１の上側に下係止部受部Ｒ２が形成された横桟Ｒである。本実施例の横桟Ｒは、図２と図３の実施例の機能をあわせもつ。本実施例の横桟Ｒを用いることによって、パネル体Ｐ・Ｐ同士を上下隣接するように所定の間隔を確保した状態で取り付けることができる。なお、本実施例においても、壁面Ｗに横桟Ｒを固定したり、横桟Ｒにパネル体Ｐを固定したりするために用いる止着具Ｆを挿通する孔Ｒ３を、横桟Ｒに形成させてもよい。さらに、本実施例の横桟Ｒは、太陽光発電パネル（パネル体Ｐ）の電線Ｐ３を通す切り欠きや挿通孔を形成させてもよい。
【００２０】
本願において、壁面Ｗは、建築物の外壁、フェンス等、地面に対して略鉛直方向に立設された面である。壁面Ｗの材質、面積等は問わない。
【００２１】
本実施例のパネル体Ｐの壁面取付構造は、まず、壁面Ｗに複数の横桟Ｒが、略水平な向きに上段及び下段に並べて固定される。このとき、横桟Ｒの裏面側と壁面Ｗとの固定については、ビス・接着剤等、方法は問わない。
【００２２】
次に、パネル体Ｐの上係止部Ｐ１が上段の上係止部受部Ｒ１に引っ掛けられる。このとき、パネル体Ｐは、上段の横桟Ｒにつるされただけの状態で、下側端部が固定されていない状態である。したがって、図９に示した先行技術のように、上段及び下段を同時に係止するといった難しい施工を行う必要がない。また、図６のように、横桟Ｒにパネル体Ｐを固定するために、止着具Ｆを用いてもよい。
【００２３】
次に、パネル体Ｐの下係止部Ｐ２が下段の下係止部受部Ｒ２上に重ねられた状態で、下から止着具Ｆで係止される。パネル体Ｐが止着具Ｆで止着されることによって、横桟Ｒから外れたり、横桟Ｒに長尺方向に移動したりしない状態になる。その結果、図５から図８に示すような状態になる。
【００２４】
本願において、パネル体Ｐが、太陽光発電パネルである場合、裏面側に電線Ｐ３が取り付けられているのが一般的である。この場合、上係止部Ｐ１や下係止部Ｐ２を切り欠いて、横桟Ｒの表面側に電線Ｐ３が取り出される構造にしてもよい。そのほか、図８に示すように、横桟Ｒの上係止部受部Ｒ１や下係止部受部Ｒ２を切り欠いて、電線Ｐ３が横桟Ｒの表面側に容易に取り出される構造にしてもよい。
【００２５】
パネル体Ｐは、一端に上係止部Ｐ１と、対向する他端に下係止部Ｐ２が互いに内向きに形成されたパネル本体の表面に、太陽電池（薄型太陽電池シート）が一体化されたものでもよい。このように、パネル体Ｐが、太陽電池を有する取付ユニットである場合、受光面側に配線箱（ジャンクションボックス）・電線Ｐ３がある太陽電池（薄型太陽電池シート）を用いるとよい。そうすることによって、上係止部Ｐ１・下係止部Ｐ２や上係止部受部Ｒ１・下係止部受部Ｒ２を切り欠くといった加工が必要なく、横桟Ｒの表面側、すなわちパネル体Ｐの受光面側に電線Ｐ３が露出されている状態になる。その結果、パネル体Ｐが横桟Ｒに固定された状態で、上下隣接するパネル体Ｐ・Ｐの電線Ｐ３・Ｐ３同士を容易に接続させることができる。
【００２６】
図８に示す本実施例は、横桟Ｒは、上係止部受部Ｒ１及び下係止部受部Ｒ２の両方が形成されている。このような構造とすることによって、図２や図３のような横桟Ｒだけを用いるのに比べて、パネル体Ｐを取り付けるための横桟Ｒの総本数を少なくすることができる。また、図８のように、上下隣接するパネル体Ｐ・Ｐ同士の間に設けられた離隔空間を、接続された電線Ｐ３を配置するのに用いてもよい。この場合に、横桟Ｒの表面側に保護カバーを取り付けて、電線Ｐ３の劣化を防いだり、意匠性を高めたりすることもできる。
【００２７】
本願は、横桟Ｒの表面側にて、上下隣接するパネル体Ｐの電線Ｐ３同士が接続されている。したがって、従来の左右隣接するパネル体Ｐの電線Ｐ３・Ｐ３同士を接続するだけに限定されない。その結果、パネル体Ｐの自由な配置が実現できる。それに加え、上下隣接するパネル体Ｐ・Ｐの電線Ｐ３・Ｐ３同士をパネル体Ｐの側端側から取り出したりせずに接続できるので、電線Ｐ３の長さを短くできる。そのため、電線Ｐ３の短さを補う延長電線等を用いなくてもよい場合も増える。
【符号の説明】
【００２８】
Ｐ        パネル体
Ｐ１      上係止部
Ｐ２      下係止部
Ｐ３      電線
Ｐ４      孔
Ｒ        横桟
Ｒ１      上係止部受部
Ｒ２      下係止部受部
Ｒ３      孔
Ｗ        壁面
Ｆ        止着具
【図１】
2019183458.tif 000003
【図２】
2019183458.tif 000004
【図３】
2019183458.tif 000005
【図４】
2019183458.tif 000006
【図５】
2019183458.tif 000007
【図６】
2019183458.tif 000008
【図７】
2019183458.tif 000009
【図８】
2019183458.tif 000010
【図９】
2019183458.tif 000011